【事件の表示】
　特許第２８８４０７６号「パチンコ機の電力駆動部の保護回路」の請求項１、２に係る特許に対する特許異議の申立てについて、次のとおり決定する。
【結　論】
　訂正を認める。
　特許第２８８４０７６号の請求項１ないし２に係る特許を維持する。
【理　由】
１．手続きの経緯
  本件特許第２８８４０７６号の請求項１及び２に係る発明は、特願昭６３−１１０７４２号（昭和６３年５月７日出願）に記載された発明の一部を、平成９年３月１０日に新たに出願したものであって、平成１１年２月１２日に設定登録された。その後、平成１１年１０月１９日に葛西四郎より特許異議の申立てがあり、これを受けて平成１２年４月２８日付け取消理由通知がなされ、平成１２年７月１２日付けで特許異議意見書とともに訂正請求がなされた。
２．訂正の内容とその適否
２−１．訂正の内容
（１）特許請求の範囲の訂正
【請求項１】を以下のとおり訂正する。
「【請求項１】パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、
　前記特定の負荷の過電流を検出し、検出信号を出力する電流検出回路と、
　前記駆動部の出力を入力すると共に前記検出信号を受け、前記制御部に停止信号を出力して前記制御部を停止状態にさせ、前記停止状態を維持させるようにした出力停止保持回路とを設けたことを特徴とするパチンコ機の電力駆動部の保護回路。」
（２）発明の詳細な説明の欄の訂正
ａ．訂正事項１
　段落【０００７】を以下のとおり訂正する。
「【０００７】
【課題を解決するための手段】
　本発明は上記目的を達成するために、パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、前記特定の負荷の過電流を検出し、検出信号を出力する電流検出回路と、前記駆動部の出力を入力すると共に前記検出信号を受け、前記制御部に停止信号を出力して前記制御部を停止状態にさせ、前記停止状態を維持させるようにした出力停止保持回路とを設けたことを特徴とする。」
ｂ．訂正事項２
　段落【００２０】を以下のとおり訂正する。
「【００２０】
　次に、図１に示すように、ランプ駆動電流に脈流を使用した場合について説明する。図１において、スイッチが入った時のフィラメントに流れる瞬間電流は、フィラメントの初期抵抗が小さいと過電流になり易いが、設計上、過電流になれば制御部が停止される。フィラメントの初期抵抗が小さいときには、トランジスタＴｒ７には抵抗Ｒ５により高い電圧が入力端に加えられ、トランジスタＴｒ７をオン状態にする。しかしながら、脈流のゼロＶ付近において、抵抗Ｒ４と抵抗Ｒ５の直列の関係から、トランジスタＴｒ７をオフ状態にしてフィラメントに電流を流すことができる。しかし、脈流のため、またすぐに、上昇電位によって電流が停止され、脈流の下降電位によって停止が解除される。このように、この停止と解除の繰り返しによってランプＬ３に電流が間欠的に流れ、徐々にランプ抵抗は大きくなり、抵抗Ｒ５からの電圧ではトランジスタＴｒ７をオン状態にすることができなくなり、ランプＬ３は所定電流で点灯するようになる。したがって、従来の図６のＲ１、図７のＲ２の機能を必要とせず、制御の効率が良くなる。」
ｃ．訂正事項３
　段落【００２２】を以下のとおり訂正する。
「【００２２】
【発明の効果】
　本発明は以上のように構成したものであるので、出力端に過電流が発生した場合、電流検出回路の検出信号で出力停止保持回路が制御部を停止させ、駆動部の出力によって停止状態を維持させるので、スイッチングロスを極小に抑えながら、チャタリングも発生しない安定した形で出力制御回路を一定期間遮断し確実に保護できる。また、特定の負荷に過電圧がかかれば駆動部の出力によって出力停止保持回路が働いて駆動部、特定の負荷を保護するので二次故障を防止することができる。また、ランプの駆動電流に脈流を使用することにより、駆動部の負荷を抑え、過大な瞬間電流を流すことがなくなり、安定した作動が望める。」
２−２．訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であり、かつ上記特許請求の範囲の訂正内容との整合性を図るべく明瞭でない記載の釈明を目的とするものであって、実質的に特許請求の範囲を拡張・変更するものではない。
２−３．独立特許要件の判断
（１）訂正明細書の発明
　訂正明細書の請求項１及び２に係る発明（以下、本件第１発明及び第２発明という）は、訂正明細書の特許請求の範囲の請求項１及び２に記載された次の事項により特定されるものである。
「【請求項１】パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、
　前記特定の負荷の過電流を検出し、検出信号を出力する電流検出回路と、
　前記駆動部の出力を入力すると共に前記検出信号を受け、前記制御部に停止信号を出力して前記制御部を停止状態にさせ、前記停止状態を維持させるようにした出力停止保持回路とを設けたことを特徴とするパチンコ機の電力駆動部の保護回路。
【請求項２】パチンコ機の特定の負荷に流れる電流を脈流としたことを特徴とする請求項１記載のパチンコ機の電力駆動部の保護回路。」
（２）引用刊行物記載の発明及び対比判断
　当審が先の取消理由通知書にて示した本件特許の出願日前に頒布された刊行物である特開昭６１−２４４３８１号公報（本件特許に対する異議申立人葛西四郎がその証拠として提出した甲第２号証、以下引用例という）には、パチンコ機のソレノイド又はランプの駆動回路において、その短絡等による過電流によって当該駆動部の破損等を図るための保護回路として、ソレノイド又はランプを駆動させるパワートランジスタ回路（Ｔｒ２、Ｔｒ３）を備え、パワートランジスタとソレノイド又はランプに同一の電流を流すようにした回路と、ソレノイド又はランプの過電流を検出し、パワートランジスタの出力を停止させるＮＰＮ型トランジスタを設け、電源回路に交流の変圧器と、ソレノイド又はランプへの電力供給回路中にダイオードＤ１（整流回路）を設けたパチンコ機の電力駆動部保護回路に関する発明が記載されている。
　そこで、本件第１発明と上記引用例記載の発明とを対比すると、引用例には本件第１発明で特定する「特定の負荷の過電流を検出し、検出信号を出力する電流検出回路と、駆動部の出力を入力すると共に検出信号を受け、制御部に停止信号を出力して制御部を停止状態にさせ、停止状態を維持させるようにした出力停止保持回路を設ける電力駆動部の保護回路」についての開示はなく、またそれを示唆する記載もない。
　そして、本件第１発明は上記構成によって「出力端に過電流が発生した場合、電流検出回路の検出信号で出力停止保持回路が制御部を停止させ、駆動部の出力によって停止状態を維持させるので、スイッチングロスを極小に抑えながら、チャタリングも発生しない安定した形で出力制御回路を一定期間遮断し確実に保護できる。また、特定の負荷に過電圧がかかれば駆動部の出力によって出力停止保持回路が働いて駆動部、特定の負荷を保護するので二次故障を防止することができる。」という明細書記載の格別の効果を奏するものである。
　したがって、本件第１発明が上記引用例記載の発明から容易になし得たものとすることはできない。また、本件第２発明は第１発明を引用する従属発明であるから、上記引用例記載の発明から容易になし得たとすることはできない。
２−４．むすび
　以上のとおり、上記訂正の内容は特許法第１２０条の４第２項及び同条第３項で準用する同法第１２６条第２ないし４項の規定に適合するから、当該訂正請求を認める。
３．特許異議の申立について
３−１．異議申立理由の概要
  申立人葛西四郎は、本件特許の請求項１、２に係る発明は、本件特許の出願日前に頒布された甲第１号証ないし甲第３号証に記載された発明から容易に想到し得たものであって、特許法第２９条第２項の規定に違反して特許されたものであるから、同法第１１３条第１項第２号の規定により取り消されるべきである旨主張している。
３−２．証拠及び対比・判断
　申立人が提出した甲第１号証（特開昭６２−２８１７２３号公報）には、短絡保護機能付ドライバ回路において、クロック信号とこれに同期するフリップフロップ回路及びＥＸＯＲ回路ならびにアンドゲート等のデジタル論理素子を用いて負荷の短絡検出を高い時間精度で行い、負荷短絡時にドライバ回路を遮断する発明が開示されている。また、甲第２号証（特開昭６１−２４４３８１号公報）は、当審による先の取消理由通知にて引用した刊行物であり、前記２−３．独立特許要件の判断にて示したとおりの発明が記載されている。そして甲第３号証（特開昭６３−２００９０号公報）には、ソレノイド等のスイッチングドライバ回路において、ドライブ時間内の異常電流検出回路を設け、この信号とドライブ信号とにより、ドライブ時間内外を問わず異常電流検出時には、故障による異常電流の流れを遮断し異常事態発生の通報を行う発明が記載されている。
　そこで、本件第１発明と甲号各証記載の発明とを対比すると、いずれの刊行物にも本件第１発明で特定する「特定の負荷の過電流を検出し、検出信号を出力する電流検出回路と、駆動部の出力を入力すると共に検出信号を受け、制御部に停止信号を出力して制御部を停止状態にさせ、停止状態を維持させるようにした出力停止保持回路を設ける電力駆動部の保護回路」についての開示はなく、またそれを示唆する記載もない。
　そして、本件第１発明は上記構成によって「出力端に過電流が発生した場合、電流検出回路の検出信号で出力停止保持回路が制御部を停止させ、駆動部の出力によって停止状態を維持させるので、スイッチングロスを極小に抑えながら、チャタリングも発生しない安定した形で出力制御回路を一定期間遮断し確実に保護できる。また、特定の負荷に過電圧がかかれば駆動部の出力によって出力停止保持回路が働いて駆動部、特定の負荷を保護するので二次故障を防止することができる。」という明細書記載の格別の効果を奏するものである。
　したがって、本件第１発明が上記引用例記載の発明から容易になし得たものとすることはできない。また、本件第２発明は第１発明を引用する従属発明であるから、上記引用例記載の発明から容易になし得たとすることはできない。
３−３．むすび
　以上のとおり、申立人が主張する理由及び証拠によっては、本件発明に係る特許を取り消すことはできない。
　さらに、本件発明に係る特許を取り消すべき他の理由を発見しない。
　よって、結論のとおり決定する。
【異議決定日】
平成１２年１１月２４日（２０００．１１．２４）
【訂正の要旨】
訂正の要旨
１．特許請求の範囲の訂正
　【請求項１】を以下のとおり訂正する。
「【請求項１】パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、
　前記特定の負荷の過電流を検出し、検出信号を出力する電流検出回路と、
　前記駆動部の出力を入力すると共に前記検出信号を受け、前記制御部に停止信号を出力して前記制御部を停止状態にさせ、前記停止状態を維持させるようにした出力停止保持回路とを設けたことを特徴とするパチンコ機の電力駆動部の保護回路。」
２．発明の詳細な説明の欄の訂正
ａ．訂正事項１
　段落【０００７】を以下のとおり訂正する。
「【０００７】
　【課題を解決するための手段】
　本発明は上記目的を達成するために、パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、前記特定の負荷の過電流を検出し、検出信号を出力する電流検出回路と、前記駆動部の出力を入力すると共に前記検出信号を受け、前記制御部に停止信号を出力して前記制御部を停止状態にさせ、前記停止状態を維持させるようにした出力停止保持回路とを設けたことを特徴とする。」
ｂ．訂正事項２
　段落【００２０】を以下のとおり訂正する。
「【００２０】
　次に、図１に示すように、ランプ駆動電流に脈流を使用した場合について説明する。図１において、スイッチが入った時のフィラメントに流れる瞬間電流は、フィラメントの初期抵抗が小さいと過電流になり易いが、設計上、過電流になれば制御部が停止される。フィラメントの初期抵抗が小さいときには、トランジスタＴｒ７には抵抗Ｒ５により高い電圧が入力端に加えられ、トランジスタＴｒ７をオン状態にする。しかしながら、脈流のゼロＶ付近において、抵抗Ｒ４と抵抗Ｒ５の直列の関係から、トランジスタＴｒ７をオフ状態にしてフィラメントに電流を流すことができる。しかし、脈流のため、またすぐに、上昇電位によって電流が停止され、脈流の下降電位によって停止が解除される。このように、この停止と解除の繰り返しによってランプＬ３に電流が間欠的に流れ、徐々にランプ抵抗は大きくなり、抵抗Ｒ５からの電圧ではトランジスタＴｒ７をオン状態にすることができなくなり、ランプＬ３は所定電流で点灯するようになる。したがって、従来の図６のＲ１、図７のＲ２の機能を必要とせず、制御の効率が良くなる。」
ｃ．訂正事項３
　段落【００２２】を以下のとおり訂正する。
「【００２２】
　【発明の効果】
　本発明は以上のように構成したものであるので、出力端に過電流が発生した場合、電流検出回路の検出信号で出力停止保持回路が制御部を停止させ、駆動部の出力によって停止状態を維持させるので、スイッチングロスを極小に抑えながら、チャタリングも発生しない安定した形で出力制御回路を一定期間遮断し確実に保護できる。また、特定の負荷に過電圧がかかれば駆動部の出力によって出力停止保持回路が働いて駆動部、特定の負荷を保護するので二次故障を防止することができる。また、ランプの駆動電流に脈流を使用することにより、駆動部の負荷を抑え、過大な瞬間電流を流すことがなくなり、安定した作動が望める。」
（５４）【発明の名称】
パチンコ機の電力駆動部の保護回路
（５７）【特許請求の範囲】
　【請求項１】パチンコ機の特定の負荷を作動させる信号を入力させるための制御部と前記特定の負荷と直列に接続した駆動部とを備え、制御部の駆動信号により駆動部と特定の負荷に同一電流を流すようにした出力制御回路と、
　前記特定の負荷の過電流を検出し、検出信号を出力する電流検出回路と、
　前記駆動部の出力を入力すると共に前記検出信号を受け、前記制御部に停止信号を出力して前記制御部を停止状態にさせ
、前記停止状態を維持させ
　【請求項２】パチンコ機の特定の負荷に流れる電流を脈流としたことを特徴とする請求項１記載のパチンコ機の電力駆動部の保護回路。
【発明の詳細な説明】
　　　【０００１】
　　【発明の属する技術分野】
　パチンコ機は盤面に多数のランプが配設され、内部は役物を操作するソレノイドバルブ等が設けられている。これらランプやソレノイドバルブ等の特定の負荷が異常状態となり、または、破損したことにより、他の箇所が影響を受けると遊技を中断しなければならない。本発明は、いわゆる二次破損を防止するためのパチンコ機の電力駆動部の保護回路に関する。
　　　【０００２】
　　【従来の技術】
　パチンコ機で使用されているランプ（白熱電球）は輝度の高さや経済性等の点で優れた表示手段であるため、その遊技性を高める上で不可欠となっており、各所にランプによる表示器が取り付けられ、その長所がいかんなく発揮されている。例えば、グリップを掴んで球を発射させるときに点灯するランプ、役物の作動中のときに点灯するランプ等があり、これらは盤面の半透明の色付プラスチックカバーの中に設置されている。そして、これらランプの効果が良くなるような配置、狭いスペースへ配置する必要性等のため、周辺部品との干渉による物理的な破損を防止する工夫が凝らされている。
　　　【０００３】
　また、電気的には図６、図７に示すような回路設計がなされている。図６においては、出力段のトランジスタＴＲ１と並列に抵抗Ｒ１が接続され、この一端にランプＬ１が直列に配線されたもので、消灯時に抵抗Ｒ１によって決まる僅かな電流を流しフィラメントを弱く加熱しておくことにより、フィラメントの抵抗値が低くなるのを抑制し、スイッチが入ったときの瞬間電流を抑える方式である。また、図７に示すように、トランジスタＴｒ２、抵抗Ｒ２、ランプＬ２を直列に接続することにより、瞬間電流を制限する方式が使用されている。
　　　【０００４】
　　【発明が解決しようとする課題】
　しかしながら、図６の電気回路ではランプＬ１に常時電流を流しておくことになるので、ランプの数、パチンコ機の台数が多いときには電力消費量が莫大なものとなる。また、この抵抗Ｒ１の抵抗値は高抵抗のものを選択する必要があり、また、この抵抗値を決定するための実験、データを必要とし、このための労力や時間が費やされる。そして、ランプＬ１が短絡した場合にも、抵抗Ｒ１には電流はほとんど流れずトランジスタＴｒ１に過電流が流れて破壊される。
　　　【０００５】
　図７に示した電気回路の場合には、ランプＬ２の明るさに影響がないように抵抗Ｒ２の抵抗値は小さくする必要があり、この場合もこの抵抗値を決定するための実験、データを必要とし、このための労力や時間が費やされる。また、抵抗Ｒ２によりランプの制御回路の効率が悪いので好適ではない。以上のように、これまでの駆動方式は周囲の環境や駆動するランプの数や特性に対し、その都度、実験や設計変更をしなければならず、最悪、過電流が流れて電源のヒューズが切断した場合にはパチンコ機を再始動させても設定を再調整しなければならず、このため、瞬間電流と負荷短絡に対する保護回路の調整は非常に煩雑なものであった。
　　　【０００６】
　本発明は、上記ランプを例に説明した特定の負荷が故障したとき、保守を容易に行わせ、かつ、他の遊技機構の中断を防止するためのパチンコ機の電力駆動部の保護回路を提供することを目的とする。
　　　【０００７】
　　【課題を解決するための手段】
　本発明は上記目的を達成するために、パチンコ機の特定の負荷を作動させる信号を入力するための制御部と前記特定の負荷と直列に接続した駆動部とを備え、制御部の駆動信号により駆動部と特定の負荷に同一電流を流すようにした出力制御回路と、前記特定の負荷の過電流を検出し、検出信号を出力する電流検出回路と、前記駆動部の出力を入力すると共に前記検出信号を受け、前記制御部を停止状態にさせ
、前記停止状態を維持させ
　　　【０００８】
　また、パチンコ機の特定の負荷に流れる電流を脈流としたことを特徴とする。
　　　【０００９】
　請求項１では、まず、特定の負荷としてフィラメント構造のランプを例に取って説明すると、通常、ランプを作動させる信号によって制御部、駆動部が働き、ランプに電流が供給される。このような状況で、振動等の外力、または寿命等によりそのフィラメントが切れた場合、ランプの取付け方向によっては断線したフィラメント部分がフィラメント支持線の根本に絡まり短絡状態になる。これによって、駆動部およびランプに過電流が流れる。
　　　【００１０】
　このとき、電流検出回路から検出信号が出力され、出力停止保持回路から停止信号が出て出力制御回路の制御部を停止させるが、駆動部に接続されたランプが短絡されたので、ランプに印加される電圧が直接駆動部にかかり、この電圧が出力停止保持回路に作用し、出力停止保持回路をＯＮ状態にする。また、ランプに異常がなくても、ランプの供給電圧が異常に高い時は出力停止保持回路に作用する力が大きくなり、制御部を停止状態にさせ、負荷側を保護する。
　　　【００１１】
　請求項２では、ランプの初期抵抗が小さく、スイッチが入ったときの瞬間電流が過電流になった場合、制御部が停止されるが、時間経過により、出力停止保持回路の入力電圧が停止条件以下になると、出力停止保持回路がオフ状態にされ、ランプの点灯が可能になる。また、脈流によるこの繰り返しのため、ランプに電流が間欠的に流れ、徐々にランプ抵抗は大きくなり、そして、駆動部の出力電圧が徐々に降下し、出力停止保持回路のオフ状態を可能にする。この後、ランプが安定して点灯するようになる。そして、ランプが安定して点灯したときに短絡した場合は前述の通りに作動する。
　　　【００１２】
　　【発明の実施の形態】
　本発明にかかる電力駆動部の保護回路を使用した特定の負荷としては、パチンコ機１の盤面に配した表示器２，３等に使用されているランプ（図５参照）、役物作動用等のソレノイドバルブ等があるが、ランプを例としてその駆動回路を説明する。
　　　【００１３】
　本発明による実施例を図１、図２に基づいて説明する。図２に示すように、ランプ駆動装置の出力制御回路５は制御部６と駆動部７とで構成され、駆動部７の電流を検出する電流検出回路８と、この電流検出回路８から出力される検出信号に基づいて制御部６の機能を停止させる出力停止保持回路９がフィードバック方式で結線されている。なお、出力停止保持回路９を起動するクロック入力回路１０、駆動部７に過電圧がかからないための過電圧保護回路１１を付加することも可能である。また、ランプ電圧を検出する電圧検出回路１２を設けても良い。
　　　【００１４】
　具体的配線は、図１に示すように、トランジスタ（制御部）Ｔｒ３，トランジスタ（駆動部）Ｔｒ４がダーリントン接続され、その出力側がランプＬ３に接続され、アース側が抵抗Ｒ３と配線されており、トランジスタＴｒ４とランプＬ３は同一の電流が流れ、この抵抗Ｒ３の結線箇所に差動アンプ（トランジスタＴｒ５，Ｔｒ６）のトランジスタＴｒ５のベースが接続され、トランジスタＴｒ６のエミッタに検出信号（電流）が出力され、トランジスタＴｒ７のベースに接続されている抵抗Ｒ４に流れる。一方、トランジスタＴｒ４の出力側と抵抗Ｒ５の一端が接続され、抵抗Ｒ５の他端は抵抗Ｒ４と直列に接続され、トランジスタＴｒ７のベース電位はこれらにより左右される。そして、トランジスタＴｒ７のコレクタが制御部６の入力に配線され制御が行えるようになっている。なお、この回路ではＨ電位をＤＣ５Ｖ、Ｌ電位をＤＣ０Ｖとしている。
　　　【００１５】
　通常動作時、抵抗Ｒ３の電位は規定内のため、トランジスタＴｒ６の検出信号がなくトランジスタＴｒ７は遮断状態（ＯＦＦ状態）にあり、制御部６の入力にランプ点灯指令のＨ電位が印加されるとランプＬ３は点灯し、Ｌ電位のときにはランプＬ３は消灯する。
　　　【００１６】
　電力駆動部の保護回路において、入力がＨ電位のときで、ランプＬ３が短絡したときあるいは出力端に過電流が流れたときに、駆動部７に流れる電流により、抵抗Ｒ３の両端の電圧が大きくなるのでトランジスタＴｒ５をＯＦＦ状態にすると共にトランジスタＴｒ６をＯＮ状態にする。このＴｒ６のコレクタ変化が検出信号となる。設計上、トランジスタＴｒ５，Ｔｒ６の増幅率が大であれば抵抗Ｒ３の抵抗値は十分小さくすることができる。
　　　【００１７】
　そして、トランジスタＴｒ６からの検出信号（電流）はトランジスタＴｒ７のベースに接続されている抵抗Ｒ４に流れることにより、ベース電圧が変化し、トランジスタＴｒ７が飽和状態（ＯＮ状態）になる。これにより、トランジスタＴｒ７のコレクタがＬ電位になり、制御部６の入力端を強制的にＬ電位にして制御部６の機能を停止させる。したがって、駆動信号が発生せず、トランジスタＴｒ３，Ｔｒ４が働かず（ＯＦＦ状態）出力端に電流は流れない。
　　　【００１８】
　一方、ランプＬ３が短絡しているか、ランプＬ３に過電流が流れている時には、抵抗Ｒ５のランプＬ３側電位が上昇しているため、トランジスタＴｒ７のベース電位も引き上げられ、トランジスタＴｒ７がＯＮ状態になったときにこれを保持する。また、このことはトランジスタＴｒ７のベース電位が飽和電圧以下になるまでＯＮ状態を維持し、出力停止保持回路９が働き制御部を停止状態に保持する。このため、ランプＬ３の交換、または過電流の原因の解除をしないかぎりこの状態を維持する。このときパチンコ機１の全体の電力供給に影響はなく遊技が停止されることはない。
　　　【００１９】
　ところで、トランジスタＴｒ７のベースにはランプＬ３からの電圧がＲ５を介して印加されている。ランプＬ３に異常電圧（高圧）がかかった時、設計上、トランジスタＴｒ７のベース電位が上昇することで、トランジスタＴｒ７を飽和電圧以下になるまでＯＮ状態を維持させ、出力停止保持回路９を介して制御部を停止し駆動部を保護し、ランプに過電圧がかかるのを防ぐことができる。なお、制御部６の入力がＬ電位のときでも同じ作用をする。
　　　【００２０】
　次に、図１に示すように、ランプ駆動電流に脈流を使用した場合について説明する。
図１において、
のフ
は
いが
フ
は、
。しかし、
　　　【００２１】
　図３および図４（ａ），（ｂ）は実施例に使用可能な汎用複合素子を示すものであり、大きさは約、ｌ＝３３ｍｍ、ｈ＝１６ｍｍ、ｄ＝４ｍｍであり、狭い箇所に有効である。この汎用複合素子を使用することによってコスト低減が図れる。また、この回路にダイオードを付加して特定の負荷としてのモータやソレノイドのような誘導性負荷にも対応できる。なお、Ｔｒ１１，Ｔｒ１２は出力制御回路を構成するトランジスタであり、以下、実施例と同様であるため省略する。
　　　【００２２】
　　【発明の効果】
　本発明は以上のように構成したものであるので、出力端に過電流が発生した場合、電流検出回路の検出信号で出力停止保持回路が制御部を停止させ、駆動部の出力によって停止状態を維持させるので、スイッチングロスを極小に抑えながら、チャタリングも発生しない安定した形で出力制御回路を一定期間遮断し確実に保護できる。また、特定の負荷に過電圧が
か
作動
【図面の簡単な説明】
　【図１】
　本発明によるパチンコ機の電力駆動部の保護回路の構成図である。
　【図２】
　図１に示す構成のブロック図である。
　【図３】
　パチンコ機に実装する素子内部の構成図である。
　【図４】
　図３に示す素子の外形を（ａ），（ｂ）により示した模式図である。
　【図５】
　本発明にかかるパチンコ機の正面図である。
　【図６】
　従来のパチンコ機のランプの過電流防止回路図である。
　【図７】
　従来のパチンコ機の他のランプの過電流防止回路図である。
　【符号の説明】
５　出力制御回路
６　制御部
７　駆動部
８　電流検出回路
９　出力停止保持回路
Ｌ３　ランプ